Podtech/llm-jp-corpus-v4-ja_patent huggingface dataset:
【手続補正書】
【提出日】平成17年7月28日(2005.7.28)
【手続補正１】
【補正対象書類名】特許請求の範囲
【補正対象項目名】全文
【補正方法】変更
【補正の内容】
【特許請求の範囲】
【請求項１】
第一末端フィルター要素（１２）、
第二末端フィルター要素（１４）、
第一末端フィルター要素（１２）と第二末端フィルター要素（１４）の間に配置されかつ粒状フィルター材料を含む中央フィルター要素（１６）、及び
ケーシング（２０）、
を含んでなるタバコ製品用フィルターであって、
末端フィルター要素（１２、１４）のうち一つは２以上の部分に分割され、
前記２以上の部分に分割された一つの末端フィルター要素（１２、１４）の一部分がケーシング（２０）に対して移動可能であることを特徴とするフィルター（１０）。
【請求項２】
タバコストランド（３２）及びそのストランドに接続された請求項１に記載のフィルター（１０）を有する喫煙物品であって、第一末端フィルター要素（１２）がタバコ側フィルター要素でありそして第二末端フィルター要素（１４）が唇側フィルター要素でありかつケーシング（２０）に対して部分的に移動可能である喫煙物品。
【請求項３】
請求項１に記載のフィルター（１０）を２個以上有するフィルターストランド（３０）。
【請求項４】
二つのフィルター（１０）を有する請求項３記載のフィルターストランド（３１）であって、フィルターストランド（３１）の末端に配置されたフィルター（１０）の末端フィルター要素（１２、１４）がケーシング（２０）に対して部分的に移動可能であるフィルターストランド（３１）。
【請求項５】
一方又は両方の外側中央フィルター要素（１６）の粒状フィルター材料が、水平状態で、単一又は複数の外側中央フィルター要素（１６）の全断面に充填されていることを特徴とする請求項３又は４に記載のフィルターストランド（３０、３１）又は
フィルターストランド（３０、３１）の一端もしくは両端に配置された単一もしくは複数の末端フィルター要素（１２、１４）が部分的に押し戻されてケーシング（２０）がフィルターストランド（３０、３１）の一端もしくは両端に配置された単一もしくは複数の末端フィルター要素（１２、１４）を越えて突出するか、又は単一もしくは複数の外側リング（２４）がフィルターストランド（３０、３１）の一端もしくは両端に配置された単一もしくは複数の末端フィルター要素（１２、１４）の単一もしくは複数のコア（２５）を越えて突出することを特徴とする請求項３又は４に記載のフィルターストランド（３０、３１）の製造方法であって、
フィルターストランドが請求項４に記載のフィルターストランド（３１）である場合に、中央フィルター要素（１６）の方へ押されていない末端フィルター要素（１２、１４）を部分的に中央フィルター要素（１６）の方へ移動させるため、フィルターストランド（３１）の末端に配置された末端フィルター要素（１２、１４）の自由端に力を加えて中央フィルター要素（１６）の粒状フィルター材料を圧縮することを特徴とするフィルターストランド（３１）の製造方法。
【請求項６】
ホルダーに回転可能に配置され、そしてその周囲に回転軸線（４１）から距離をとって、末端フィルター要素（１２、１４）が中央フィルター要素（１６）の方へ押されていない請求項４に記載のフィルターストランド（３１）用の少なくとも一つのレセプタクルを配置されたドラム（４２）及び
ドラム（４２）の軸線（４１）に対して傾斜した軸線（４３）の回りを回転可能にかつドラム（４２）の隣に配置されそしてその回転軸線（４３）から距離をとって少なくとも一つのタンパ（４５）を有する少なくとも一つのディスク（４４）
を備えてなり、
その結果、ドラム（４２）とディスク（４４）が同じ回転をして、少なくとも一つのタンパ（４５）がドラム（４２）に対してドラム（４２）の回転軸線（４１）に本質的に平行にのみ移動する、好ましくは請求項５に記載の方法を実施するための装置（４０）であって、
ドラム（４２）が軸方向突出部（４６）を有しそして少なくとも一つのディスク（４４）が対応する凹部（４７）を有し、その突出部（４６）が、ドラム（４２）と少なくとも一つのディスク（４４）が最も接近している領域で前記凹部（４７）と係合し、その結果少なくとも一つのディスク（４４）がドラム（４２）によって駆動されることを特徴とする装置（４０）。
【手続補正書】
【提出日】平成17年11月8日(2005.11.8)
【手続補正１】
【補正対象書類名】特許請求の範囲
【補正対象項目名】全文
【補正方法】変更
【補正の内容】
【特許請求の範囲】
【請求項１】
増殖性疾患に対する活性についての化合物のスクリーニング方法であって、哺乳類細胞を化合物と接触させ、対照と比べて増加したアセチル化アルファ−チューブリンのレベルを検出することを含む方法。
【請求項２】
タンパク質脱アセチル化酵素阻害性化合物に対する哺乳類対象による応答の評価方法であって、対象の細胞におけるアセチル化アルファ−チューブリンのレベルを測定し、それをタンパク質脱アセチル化酵素阻害性化合物投与前のレベルと比較することを含む方法。
【請求項３】
微小管相互作用剤に対する哺乳類対象による応答の評価方法であって、対象の細胞におけるアセチル化アルファ−チューブリンのレベルを測定し、それを微小管相互作用剤投与前のレベルと比較することを含む方法。
【請求項４】
哺乳類対象におけるタンパク質脱アセチル化酵素阻害性化合物による処置に感受性を示す増殖性疾患の診断方法であって、タンパク質脱アセチル化酵素阻害性化合物投与前レベルと比べて増加したアセチル化アルファ−チューブリンのレベルを、増殖性疾患を呈する対象の細胞で測定することを含む方法。
【請求項５】
哺乳類対象における微小管相互作用剤による処置に感受性を示す増殖性疾患の診断方法であって、微小管相互作用剤投与前レベルと比べて増加したアセチル化アルファ−チューブリンのレベルを、増殖性疾患を呈する対象の細胞で測定することを含む方法。
【請求項６】
哺乳類対象における増殖性疾患の処置方法であって、増殖性疾患を呈する対象からの細胞においてアセチル化アルファ−チューブリンのレベルを測定し、アセチル化アルファ−チューブリンのレベルが、同タイプの正常細胞が呈するレベルより低い場合、対象にタンパク質脱アセチル化酵素阻害性化合物を投与することを含む方法。
【請求項７】
哺乳類対象における増殖性疾患の処置方法であって、増殖性疾患を呈する対象からの細胞においてアセチル化アルファ−チューブリンのレベルを測定し、アセチル化アルファ−チューブリンのレベルが、同タイプの正常細胞が呈するレベルより低い場合、対象に微小管相互作用剤を投与することを含む方法。
【請求項８】
タンパク質脱アセチル化酵素阻害についての生物マーカーとしてのアルファ−チューブリンアセチル化の使用。
【請求項９】
微小管相互作用剤の活性についての生物マーカーとしてのアルファ−チューブリンアセチル化の使用。
【手続補正２】
【補正対象書類名】明細書
【補正対象項目名】０００３
【補正方法】変更
【補正の内容】
【０００３】
（要約）
本発明は、ヒストン脱アセチル化酵素活性を含む、タンパク質脱アセチル化酵素活性についての生物マーカーとしてのアルファ−チューブリンアセチル化の使用に関するものである。この発明は、細胞におけるアセチル化アルファ−チューブリンの蓄積が、タンパク質脱アセチル化酵素阻害剤により誘導されるものであって、細胞周期依存現象ではないという発見に基づいている。すなわち、アルファ−チューブリンアセチル化の測定は、タンパク質脱アセチル化酵素活性を調節する化合物を同定すること、およびタンパク質脱アセチル化酵素阻害性化合物の処置により利益を得ることができる患者を同定し、および／または処置の進行をモニタリングするための診断方法として特に有用である。同様に、本発明はまた、微小管相互作用剤の活性に関するバイオマーカーとしてのアルファ−チューブリンアセチル化の使用に関するものである。
【誤訳訂正書】
【提出日】平成18年6月9日(2006.6.9)
【誤訳訂正１】
【訂正対象書類名】明細書
【訂正対象項目名】００４１
【訂正方法】変更
【訂正の内容】
【００４１】
実施例１は、２５重量％のＮａＣｌ、４重量％のアスコルビン酸ナトリウムおよび炭酸ナトリウムを添加した新鮮なハーブのスコアを示している。実施例２は、炭酸ナトリウムの比率が高いが、成分については実施例１に相当している。実施例３は、２５重量％のＮａＣｌおよび炭酸ナトリウムを添加した真空パックした新鮮なハーブのスコアを示し、実施例４は、同様に真空パックした、２５重量％のＮａＣｌ、４重量％のアスコルビン酸ナトリウムおよび炭酸ナトリウムを添加した新鮮なハーブのスコアを示している。実施例５から７は、２５重量％のＮａＣｌ、４重量％のアスコルビン酸ナトリウム、炭酸ナトリウム、炭酸カルシウムおよび／または塩化マグネシウム六水和物の添加に対応する。
【表１】
2005511070.tif 000001
【表２】
2005511070.tif 000002
【表３】
2005511070.tif 000003
【表４】
2005511070.tif 000004
【手続補正書】
【提出日】平成17年11月8日(2005.11.8)
【手続補正１】
【補正対象書類名】特許請求の範囲
【補正対象項目名】請求項３
【補正方法】変更
【補正の内容】
【請求項３】
エラスチン、I型コラーゲン、X型コラーゲン、またはオステオカルシンを合成する細胞が1%未満である、請求項1または2記載の分化細胞集団。
【手続補正２】
【補正対象書類名】特許請求の範囲
【補正対象項目名】請求項５
【補正方法】変更
【補正の内容】
【請求項５】
アグリカンとしてpPS細胞を分化させ、分化細胞を軟骨細胞分化因子の混合物と共に培養する段階を含む、請求項1〜4のいずれか一項記載の分化細胞集団を取得する方法。
【手続補正３】
【補正対象書類名】特許請求の範囲
【補正対象項目名】請求項６
【補正方法】変更
【補正の内容】
【請求項６】
軟骨細胞分化因子の混合物が、トランスフォーミング増殖因子（TGF）、線維芽細胞増殖因子（FGF）、増殖分化因子（GDF）、骨形成タンパク質（BMP）、ヘッジホッグタンパク質（HH）、L-アスコルビン酸、および副甲状腺ホルモン関連タンパク質（PTHrP）から選択される1つまたは複数の因子を含む、請求項5記載の方法。
【手続補正４】
【補正対象書類名】特許請求の範囲
【補正対象項目名】請求項１０
【補正方法】変更
【補正の内容】
【請求項１０】
pPS細胞がヒト胚幹細胞、またはヒト胚盤胞から得られる細胞の子孫である、請求項1〜9のいずれか一項記載の産物、方法、または使用。
【手続補正書】
【提出日】平成17年11月14日(2005.11.14)
【手続補正１】
【補正対象書類名】特許請求の範囲
【補正対象項目名】全文
【補正方法】変更
【補正の内容】
【特許請求の範囲】
【請求項１】
Ｓｔｒｅｐｔｏｍｙｃｅｓ  ｇｒｉｓｅｕｓプロナーゼよりＳｔｒｅｐｔｏｍｙｃｅｓ  ｇｒｉｓｅｕｓトリプシン（ＳＧＴ）を単離する方法であって、該方法は、該プロナーゼを、アミジン、グアニジン、またはアミン含有種からなる群より選択される固定化されたアフィニティー部分と接触させる工程、および該固定化されたアフィニティー部分から、アミジン、グアニジン、またはアミン含有種からなる群より選択される溶離剤を含む溶離液を用いて該ＳＧＴを選択的に溶出する工程、を包含する、方法。
【請求項２】
前記溶離剤が、グアニジンである、請求項１に記載の方法。
【請求項３】
前記溶離剤が、アルギニンである、請求項１に記載の方法。
【請求項４】
前記アルギニンが、０．５〜１．２Ｍの間の濃度にある、請求項３に記載の方法。
【請求項５】
前記溶離液が、約ｐＨ４．０と約ｐＨ９．０との間の範囲のｐＨを有する、請求項１〜４のいずれかに記載の方法。
【請求項６】
前記アフィニティー部分が、ベンズアミジンである、請求項１〜５のいずれかに記載の方法。
【請求項７】
前記溶離液が、約０．１Ｍと約１Ｍとの間の濃度の無機塩を含む、請求項１〜６のいずれかに記載の方法。
【請求項８】
前記ＳＧＴが、０．５Ｍ〜１．２Ｍのアルギニンを含有する溶液中に得られ、そして該ＳＧＴが、少なくとも９５％の純度を有する、請求項１に記載の方法。
【請求項９】
精製された前記ＳＧＴから溶離剤を除去する工程をさらに包含する、請求項１〜８のいずれかに記載の方法。
【請求項１０】
タンパク質１ｍｇあたり少なくとも約２５×１０３Ｕの比活性を有する、ＳＧＴ精製調製物。
【請求項１１】
少なくとも約０．５Ｍの濃度のアルギニンを含み、そして、少なくとも９５％の純度を有する、請求項１０に記載のＳＧＴ精製調製物。
【請求項１２】
前記プロナーゼを、アミジン、グアニジン、またはアミン含有種からなる群より選択される固定化されたアフィニティー部分と接触させる工程、および該固定化されたアフィニティー部分から、アミジン、グアニジン、またはアミン含有種からなる群より選択される溶離剤を含む溶離液を用いて該ＳＧＴを選択的に溶出させる工程、を包含する方法を用いて得られた、請求項１０に記載の調製物。
【請求項１３】
生物プロセスにおける、請求項１０に記載の調製物の使用。
【請求項１４】
細胞のバイオマスを生成するための方法であって、該方法は、細胞の培養物を提供する工程、請求項１０に記載の調製物を使用して該細胞を継代および継代培養する工程、および該細胞増殖させてバイオマスにする工程、を包含する、方法。
【請求項１５】
前記細胞が、無血清培地中で増殖される、請求項１４に記載の方法。
【請求項１６】
ウイルスまたはウイルス抗原を生成するための方法であって、該方法は、細胞の細胞培養物を提供する工程であって、該細胞が、請求項１０に記載の調製物を使用して継代および継代培養される、工程、該細胞を増殖させてバイオマスにする工程、該バイオマスの細胞にウイルスを感染させる工程、および該細胞をインキュベートして該ウイルスを増殖する工程、を包含する、方法。
【請求項１７】
ウイルスまたはウイルス抗原を生成するための方法であって、該方法は、細胞の細胞培養物を提供する工程であって、該細胞は、請求項１０に記載の調製物を使用して継代および継代培養される、工程、該細胞に、パラミクソウイルス科、オルトミクソウイルス科、ロタウイルス科の群より選択されるウイルスを感染させる工程、タンパク質１ｍｇあたり少なくとも約２５×１０３Ｕの比活性を有するＳＧＴ精製調製物を添加して該ウイルスを活性化する工程、および生成した該ウイルスを収集する工程、を包含する、方法。
【請求項１８】
前記生成されたウイルスを精製する工程をさらに包含する、請求項１７に記載の方法。
【請求項１９】
請求項１７に記載の方法によって得られた、ウイルスまたはウイルス抗原調製物。
【請求項２０】
組換え細胞から組換え産物を生成するための方法であって、該方法は、組換え細胞の細胞培養物バイオマスを提供する工程であって、該細胞が、請求項１０に記載の調製物を使用して継代および継代培養された工程、組換え産物が生成される条件下で前記細胞を培養する工程、および生成された組換え産物を収集する工程、を包含する、方法。
【請求項２１】
請求項２０に記載の方法によって得られた、組換え産物。
【請求項２２】
血清もタンパク質も含まない培地中で増殖させたバイオマスであって、該バイオマスは、請求項１０に記載の精製ＳＧＴを用いて継代および継代培養され、そして哺乳動物由来のトリプシンの使用により同一の条件下で培養した細胞培養物と比較して、総プロテアーゼタンパク質負荷が、少なくとも７５％低減される、バイオマス。
【請求項２３】
ウイルスまたはウイルス抗原の精製プロセスにおける、請求項１０に記載の調製物の使用。
【請求項２４】
ワクチン生成のためにウイルスを生成するための、請求項１０に記載の調製物の使用。
【請求項２５】
プロタンパク質からのタンパク質の活性化のための、請求項１０に記載の調製物の使用。
【手続補正書】
【提出日】平成17年11月25日(2005.11.25)
【手続補正１】
【補正対象書類名】特許請求の範囲
【補正対象項目名】全文
【補正方法】変更
【補正の内容】
【特許請求の範囲】
【請求項１】
24％〜45％の酵母（酵母乾燥物含量に基づく。）を含む組成物であって、0.75％よりも多くの塩を含み、液体であり、10℃未満で維持することによって生物学的に安定であることを特徴とする前記組成物。
【請求項２】
さらに、1種以上の処理助剤を含む請求項１記載の組成物。
【請求項３】
処理助剤が化学添加剤及び／又は酵素である、請求項２記載の組成物。
【請求項４】
化学添加剤が酸化剤、還元剤、乳化剤、胆汁酸塩からなる群から選択され、酵素がデンプン分解酵素、アラビノキシラン分解酵素、ヘミセルロース分解酵素、セルロース分解酵素、酸化酵素、脂肪質開裂酵素及びタンパク質分解酵素からなる群から選択される、請求項３記載の組成物。
【請求項５】
さらに、1種以上のゴムを含む請求項１〜４のいずれか1項記載の組成物。
【請求項６】
以下の工程を含む請求項１〜５のいずれか1項記載の組成物の製造方法：
ａ）3％〜23％の酵母乾燥物含量の酵母懸濁液を調製する工程；
ｂ）工程ａ）の酵母懸濁液を23％よりも多い酵母乾燥物含量の酵母組成物に濃縮する工程；
ｃ）工程ａ）の際若しくは後又は工程ｂ）の際に酵母懸濁液に、又は工程ｂ）の際若しくは後に酵母組成物に、固体塩又は塩溶液を添加する工程；及び
ｄ）工程ｃ）の前、際又は後に、酵母懸濁液又は組成物を10℃未満の温度に冷却する工程。
【請求項７】
1種以上の処理助剤を工程ａ）、ｂ）若しくはｃ）のいずれかの際又は後に酵母組成物に添加する請求項６記載の方法。
【請求項８】
クリーム酵母を得るために発酵工程を含み、さらに必要に応じて遠心分離工程及び洗浄工程を含んでいてもよい、請求項１〜５のいずれか1項記載の組成物の製造方法であって、以下の工程を含むことを特徴とする前記方法： 
ａ）発酵ブロス又はクリーム酵母を膜濾過して濃縮細胞及び塩含有溶出物を得る工程、ｂ）工程ａ）の塩含有溶出物を濃縮し、前記溶出物を工程ａ）の濃縮細胞と混合する工程。
【請求項９】
工程ａ）及び／若しくはｂ）の際又は後に1種以上の処理助剤を酵母組成物に添加する請求項８記載の方法。
【請求項１０】
発酵中又は発酵後に塩又は塩溶液を発酵ブロスに添加する請求項８又は９記載の方法。
【請求項１１】
請求項１〜５のいずれか1項に記載の液体酵母組成物を添加することを特徴とする、公知の方法に準ずるドーの製造方法。
【請求項１２】
ドーが請求項１１に記載の方法によって調製される、公知の方法によるドーからのベークド製品を製造する方法。
【請求項１３】
24〜45％の酵母（酵母乾燥物に基づく。）及び0.75％よりも多い塩を含む液体酵母組成物を貯蔵する方法であって、前記酵母組成物を10℃未満の温度で維持することによる前記方法。
【請求項１４】
ドー及び／又は前記ドーから作られるベークド製品の製造のための24〜45％の酵母（酵母乾燥物に基づく。）及び0.75％よりも多い塩を含む液体酵母組成物の使用。
【手続補正書】
【提出日】平成17年12月26日(2005.12.26)
【手続補正１】
【補正対象書類名】明細書
【補正対象項目名】００７５
【補正方法】変更
【補正の内容】
【００７５】
【表１】
2005511047.tif 000001
【手続補正２】
【補正対象書類名】明細書
【補正対象項目名】００７７
【補正方法】変更
【補正の内容】
【００７７】
【表３】
2005511047.tif 000002
このような抗体を作製する別の方法は、ハイブリドーマｍＲＮＡまたは脾臓ｍＲＮＡを、このような遺伝子のＰＣＲ増幅のためのテンプレートとして使用することによる［Ｈｕｓｅら、Ｓｃｉｅｎｃｅ  ２４６：１２７６（１９８９）］。例えば、抗体は、マウスモノクローナルハイブリドーマから誘導され得る［Ｒｉｃｈａｒｄｓｏｎ  Ｊ．Ｈ．ら、Ｐｒｏｃ．Ｎａｔｌ．Ａｃａｄ．Ｓｃｉ．ＵＳＡ  ９２巻：３１３７−３１４１（１９９５）；Ｂｉｏｃｃａ  Ｓ．ら、Ｂｉｏｃｈｅｍ  ａｎｄ  Ｂｉｏｐｈｙｓ  Ｒｅｓ  Ｃｏｍｍ，１９７：４２２−４２７（１９９３）；Ｍｈａｓｈｉｌｋａｒ，Ａ．Ｍ．ら、ＥＭＢＯ  Ｊ．１４：１５４２−１５５１（１９９５）］。これらのハイブリドーマは、抗体の構築について充分に特徴付けられた試薬の信頼の高い供給源を提供し、そしてそれらのエピトープ反応性および親和性がすでに特徴付けられているときには特に有用である。そのような構築のための別の供給源としては、ヒトモノクローナル抗体産生細胞株の使用が挙げられる［Ｍａｒａｓｃｏ，Ｗ．Ａ．ら、Ｐｒｏｃ．Ｎａｔｌ．Ａｃａｄ．Ｓｃｉ．ＵＳＡ，９０：７８８９−７８９３（１９９３）；Ｃｈｅｎ，Ｓ．Ｙら、Ｐｒｏｃ．Ｎａｔｌ．Ａｃａｄ．Ｓｃｉ．ＵＳＡ ９１：５９３２−５９３６（１９９４）］。
【手続補正３】
【補正対象書類名】明細書
【補正対象項目名】０１１８
【補正方法】変更
【補正の内容】
【０１１８】
ＥＢＶ感染した細胞を処置する１つの好ましい方法は、抗体をＥＢＶ感染細胞に送達することである。このことは、すでに発現された抗体を細胞に送達することによって、またはこの細胞内に抗体を発現させることによって、なされ得る。この抗体はまた、細胞内局在配列を有し、好ましくは、ゴルジ装置または小胞体に指向される配列（例えば、ＫＤＥＬ（配列番号：８））を有する。次いで、これらの抗体は、それらがＥＢＶ感染細胞においてプロセシングされるので、ＬＭＰタンパク質を標的 とし、そしてＬＭＰ機能（例えば、ＬＭＰ１）をサイレンシングし、表現型ノックアウトおよび機能的ノックアウトを生じることによって、悪性の形質転換を阻害する。米国特許第５，９６５，３７１号、同第６，００４，９４０号、および同第６，０７２，０３６号を参照のこと。
【手続補正書】
【提出日】平成17年7月12日(2005.7.12)
【手続補正１】
【補正対象書類名】特許請求の範囲
【補正対象項目名】全文
【補正方法】変更
【補正の内容】
【特許請求の範囲】
【請求項１】
タグ分子と、非免疫グロブリン分子とを含む融合タンパク質であって、該非免疫グロブリン分子が、糖タンパク質ＶＩの生物学的活性を有するタンパク質またはオリゴペプチド（ＧＰＶＩ様タンパク質）である、前記融合タンパク質。
【請求項２】
タグ分子が、免疫グロブリン分子（Ｉｇ）またはそのフラグメントである、請求項１に記載の融合タンパク質。
【請求項３】
リーダー配列を含む、請求項１または２に記載の融合タンパク質。
【請求項４】
タグ分子が、そのＣ末端により、ＧＰＶＩ様タンパク質のＮ末端に共有結合している、請求項１〜３のいずれかに記載の融合タンパク質。
【請求項５】
タグ分子が、そのＮ末端により、ＧＰＶＩ様タンパク質のＣ末端に共有結合している、請求項１〜３のいずれかに記載の融合タンパク質。
【請求項６】
リンカー分子が、タグ分子とＧＰＶＩ様タンパク質との間に融合される、請求項１〜５のいずれかに記載の融合タンパク質。
【請求項７】
ＧＰＶＩ様タンパク質が、２１番目のアミノ酸グルタミンで始まり、そして、２６９番目のアミノ酸アスパラギンで終わる、ヒト成熟ＧＰＶＩの細胞外ドメインである、請求項１〜６のいずれかに記載の融合タンパク質。
【請求項８】
Ｉｇ分子が、Ｆｃ部分である、請求項２〜７のいずれかに記載の融合タンパク質。
【請求項９】
配列１または配列２のアミノ酸配列を含む、請求項２〜８のいずれかに記載の融合タンパク質。
【請求項１０】
リーダー配列を有しない、請求項９に記載の融合タンパク質。
【請求項１１】
請求項１〜１０のいずれかに記載の融合タンパク質をコードするＤＮＡ分子。
【請求項１２】
（ａ）リーダー配列、
（ｂ）タグ分子をコードする配列、および
（ｃ）ＧＰＶＩの生物学的活性を有するタンパク質をコードする配列、
を含む、請求項１１に記載のＤＮＡ分子。
【請求項１３】
請求項１１または１２に記載のＤＮＡ分子を含む、発現ベクター。
【請求項１４】
ベクターが、ｐｄＣ−Ｆｃ−Ｘベクターである、請求項１３に記載の発現ベクター。
【請求項１５】
ベクターが、ｐｃＤＮＡ３．１＋ベクターである、請求項１３に記載の発現ベクター。
【請求項１６】
請求項１３〜１５のいずれかに記載のベクターを含む、請求項１〜１０のいずれかに記載の融合タンパク質を発現するのに好適な宿主細胞。
【請求項１７】
請求項１〜１０のいずれかに記載の融合タンパク質を産生するための方法であって、
ａ）随意に、分泌のためのリーダー配列、タグまたはＩｇ分子、ＧＰＶＩ様タンパク質および随意にリンカー配列を含む、タンパク質をコードするＤＮＡの構築、
ｂ）適切な発現ベクターへの前記融合ＤＮＡの設置、
ｃ）真核細胞での前記融合タンパク質の発現、および
ｄ）前記分泌された融合タンパク質の精製、
を含む、前記方法。
【請求項１８】
活性剤としての、請求項２〜１０のいずれかに記載の融合タンパク質。
【請求項１９】
請求項２〜１０のいずれかに記載の融合タンパク質を含む、医薬。
【請求項２０】
少なくとも１つの薬学的に効果的な、付加的な活性物質を含む、請求項１９に記載の医薬。
【請求項２１】
付加的な活性物質が、アスピリン、ヘパリン、サラチンまたはストレプトキナーゼあるいはこれらの組み合わせから選択される、請求項２０に記載の医薬。
【請求項２２】
請求項１９に記載の医薬およびアスピリン、ヘパリン、サラチンまたはストレプトキナーゼあるいはこれらの組み合わせからなる群から選択される活性物質を含む医薬を含む、同時的なまたは時間的にずらした投与のための薬学的パック。
【請求項２３】
コラーゲンにより増大した血小板の活性化、動脈硬化性プラークの破裂、不安定狭心症を含む、または経皮経管冠動脈形成術（ＰＴＣＡ）などの外科的処置中の、ＧＰＶＩ−コラーゲンおよび／または血小板−コラーゲン相互作用に関連する、血栓性および心臓血管性イベントおよび疾患の処置のための医薬の製造への、請求項２〜１０のいずれかに記載の融合タンパク質の使用。
【請求項２４】
ＧＰＶＩ−コラーゲンおよび／または血小板−コラーゲン相互作用の潜在的なアゴニストまたはアンタゴニストのスクリーニング方法のための、請求項１〜１０のいずれかに記載の融合タンパク質の使用。
【請求項２５】
コラーゲンがコートされた表面、請求項１〜１０のいずれかに記載の融合タンパク質、前記融合タンパク質の認識部位を含む二次抗体、および酵素、有色色素、蛍光物質、化学発光物質、生物発光物質および放射性同位体からなる群から選択される検出可能なラベルを含むキット。
【請求項２６】
結合または機能的な応答の刺激もしくは阻害の観察による、ＧＰＶＩ−コラーゲンおよび／または血小板−コラーゲン相互作用のアンタゴニストまたはアゴニストのスクリーニング方法。
【請求項２７】
ａ）コラーゲンがコートされた表面と、請求項１〜１０のいずれかに記載の融合タンパク質およびＧＰＶＩ−コラーゲンおよび／または血小板−コラーゲン相互作用の潜在的なアンタゴニストまたはアゴニストとを、該アンタゴニストまたはアゴニストが不在の場合に、確実に前記融合タンパク質とコラーゲンがコートされた表面とが結合する条件下で接触させる工程、
ｂ）コラーゲンに結合した融合タンパク質と、融合タンパク質への結合親和性を有する認識部位を含む抗体および検出可能なラベルとを、該融合タンパク質のコラーゲンがコートされた表面への結合に影響を与えることなく、該抗体が該融合タンパク質に確実に結合する条件下で接触させる工程、
ｃ）コラーゲンに結合した残存融合タンパク質を検出するための検出工程を実行する工程、
を含む、請求項２６に記載の方法。
【請求項２８】
請求項２６または２７に記載の方法により同定される、ＧＰＶＩ−コラーゲンおよび／または血小板−コラーゲン相互作用のアンタゴニストまたはアゴニスト。
【請求項２９】
人工的な表面をコーティングするための、請求項１〜１０のいずれかに記載の融合タンパク質の使用。
【請求項３０】
レンズ材料の血栓形成性を減少させるために、眼内レンズを改善するための、請求項１〜１０のいずれかに記載の融合タンパク質の使用。
【請求項３１】
レンズ表面を接触させるための、請求項１〜１０のいずれかに記載の融合タンパク質の使用。
【請求項３２】
共有結合的に架橋させることによってレンズ材料を改良するための、請求項１〜１０のいずれかに記載の融合タンパク質の使用。
【手続補正書】
【提出日】平成17年6月30日(2005.6.30)
【手続補正１】
【補正対象書類名】特許請求の範囲
【補正対象項目名】全文
【補正方法】変更
【補正の内容】
【特許請求の範囲】
【請求項１】
フィブリノーゲンＥフラグメント、またはそのペプチド誘導体と、ビトロネクチンレセプターとの相互作用を調節する剤の同定のためのスクリーニング法であって、
i)図２において示されたアミノ酸配列、またはその活性結合フラグメントを含んでなるポリペプチドを提供する工程；
ii)図１において示された配列から選択されるアミノ酸配列を含んでなる少なくとも１つのペプチドを提供する工程；
iii)試験される少なくとも１つの剤を提供する工程；
iv)(i)、(ii)および(iii)の調製物を形成する工程；および
v)(i)および(ii)におけるペプチドおよびポリペプチドの相互作用に対する(iii)における剤の効果を検出または測定する工程
を含んでなる方法。
【請求項２】
請求項１に記載のスクリーニング方法により入手可能な剤(複数も可)。
【請求項３】
ビトロネクチン結合活性を有し、血管形成を調節する能力を有する剤を同定するためのスクリーニング方法であって、
i)ペプチドα１−２４、またはそのバリアントと結合するインテグリンファミリーのメンバーを提供する工程；
ii)少なくとも１つの候補結合剤を提供する工程；
iii)(i)および(ii)の組合せを含んでなる調製物を形成する工程；
iv)(i)におけるポリペプチドで(ii)における剤の結合を検出または測定する工程；および所望により
v)血管形成を調節する剤の能力を試験する工程
を含んでなる方法。
【請求項４】
請求項３に記載の方法により入手可能な剤。
【手続補正２】
【補正対象書類名】明細書
【補正対象項目名】００４２
【補正方法】変更
【補正の内容】
【００４２】
本発明のさらに好適な実施態様において、該抗体はモノクローナル抗体である。好ましくは、該モノクローナル抗体は、キメラ抗体である。代わって、該抗体はヒト化抗体である。
【手続補正書】
【提出日】平成17年7月5日(2005.7.5)
【手続補正１】
【補正対象書類名】特許請求の範囲
【補正対象項目名】全文
【補正方法】変更
【補正の内容】
【特許請求の範囲】
【請求項１】
以下の（a）から（d）の任意の一つである単離されたDNA ：
（a）配列番号：2記載のアミノ酸配列を含むタンパク質をコードするDNA；
（b）配列番号：1記載のヌクレオチド配列のコード領域を含むDNA；
（c）コードされるタンパク質が配列番号：2記載のアミノ酸配列からなるタンパク質と機能的に同等であるように、1つまたは複数のアミノ酸が置換、欠失、挿入、および/または付加されている、配列番号：2記載のアミノ酸配列からなるタンパク質をコードするDNA；ならびに
（d）コードされるタンパク質が、配列番号：2の任意の一つのアミノ酸配列からなるタンパク質と機能的に同等であるような、配列番号：1記載のヌクレオチド配列からなるDNAとストリンジェントな条件下でハイブリダイズするDNA。
【請求項２】
配列番号：2記載のアミノ酸配列からなるタンパク質の部分ペプチドをコードする、単離されたDNA。
【請求項３】
請求項1または2のいずれか一項記載のDNAが挿入されているベクター。
【請求項４】
請求項1または2記載のDNA、または請求項3記載のベクターを有する形質転換細胞。
【請求項５】
細胞増殖および標的遺伝子の転写活性化を促進する活性を有する、請求項1記載のDNAにコードされる、単離されたタンパク質。
【請求項６】
請求項2記載のDNAにコードされる、単離されたポリペプチド。
【請求項７】
請求項4記載の形質転換細胞を培養する段階、および
発現されたタンパク質を、細胞またはその培養上清から回収する段階を含む、請求項5記載のタンパク質を作製する方法。
【請求項８】
請求項5記載のタンパク質、および少なくとも1つのその活性化補助因子を含む、転写活性化複合体。
【請求項９】
活性化補助因子がRNAヘリカーゼおよびRNAポリメラーゼIIからなる群より選択される、請求項8記載の複合体。
【請求項１０】
請求項5記載のタンパク質または請求項8記載の複合体を認識し、かつ特異的に結合する抗体。
【請求項１１】
配列番号：1記載のヌクレオチド配列またはその相補鎖からなるDNAとハイブリダイズし、かつ少なくとも15ヌクレオチドを含むポリヌクレオチド。
【請求項１２】
請求項10記載の抗体または請求項11記載のポリヌクレオチドを含む、癌を治療するための治療薬。
【請求項１３】
以下の段階を含む、請求項5記載のタンパク質に結合する化合物をスクリーニングする方法：
（a）少なくとも1種類の被験化合物を含む対象試料を、請求項5記載のタンパク質またはその部分ペプチドに接触させる段階；
（b）対象試料と、タンパク質またはその部分ペプチドとの結合活性を検出する段階；ならびに
（c）タンパク質またはその部分ペプチドに結合する被験化合物を選択する段階。
【請求項１４】
請求項13記載の方法で単離することができる、請求項5記載のタンパク質に結合する化合物。
【請求項１５】
以下の段階を含む、請求項5記載のタンパク質の活性を阻害する化合物をスクリーニングする方法：
（a）少なくとも1つの被験化合物を含む対象試料の存在下で、請求項5記載のタンパク質またはその部分ペプチドを発現する細胞を培養する段階；
（b）細胞の増殖を検出する段階；ならびに
（c）対象試料の非存在下で検出される増殖と比較して、増殖を阻害する被験化合物を選択する段階。
【請求項１６】
請求項15記載の方法で単離可能な、請求項5記載のタンパク質の活性を阻害する化合物。
【請求項１７】
以下の段階を含む、抗癌活性に関して化合物をスクリーニングする方法：
（a）少なくとも1つの被験化合物を含む対象試料を、請求項5記載のタンパク質、その活性化補助因子、および該タンパク質の標的配列を含むDNAに、該タンパク質と該DNAとの複合体の形成を可能にする適切な条件下で接触させる段階；ならびに
（b）複合体の形成を阻害する被験化合物を選択する段階。
【請求項１８】
標的配列が、EGFRの5'領域に隣接するCBS配列を含む、請求項17記載の方法。
【請求項１９】
以下の段階を含む、抗癌活性に関して化合物をスクリーニングする方法：
（a）少なくとも1つの被験化合物を含む対象試料を、請求項7記載の複合体および該複合体によって認識される転写調節領域を有するレポーター遺伝子に接触させる段階；ならびに
（b）レポーター遺伝子の発現を阻害する被験化合物を選択する段階。
【請求項２０】
請求項17から19のいずれかに記載の方法で単離される化合物を活性成分として含む、抗癌組成物。
【請求項２１】
請求項1記載のDNAに結合するアンチセンスオリゴヌクレオチド、リボザイム、または干渉RNAを活性成分として含む、抗癌組成物。
【請求項２２】
以下の段階を含む、癌を診断する方法：
（a）検体の生物試料中におけるZNFN3A1遺伝子の発現レベルを決定する段階；
（b）ZNFN3A1遺伝子の発現レベルを、正常試料における発現レベルと比較する段階；および
（c）試料中におけるZNFN3A1遺伝子の高い発現レベルを、癌の保有と規定する段階。
【請求項２３】
癌が肝細胞癌である、請求項22記載の方法。
【請求項２４】
請求項1記載のDNAまたは請求項5記載のタンパク質に結合する化合物を含む、肝細胞癌を診断するための診断薬。
【手続補正書】
【提出日】平成17年11月29日(2005.11.29)
【手続補正１】
【補正対象書類名】特許請求の範囲
【補正対象項目名】全文
【補正方法】変更
【補正の内容】
【特許請求の範囲】
【請求項１】
プロテーゼを体内管腔に送るための器具であって、
通路を有するカテーテルと、
通路の中に少なくとも部分的に半径方向に潰れた形状で保持されている筒形プロテーゼと、
前記プロテーゼを前進させることによってプロテーゼを外転させて半径方向に拡張させるように、プロテーゼを通路から前進させるための手段と
を含む器具。
【請求項２】
筒形プロテーゼが網目状の管を含む請求項１に記載の器具。
【請求項３】
プロテーゼが活性物質源を支えている請求項１または２に記載の器具。
【請求項４】
プロテーゼの固定端部がカテーテルの外側表面上に外転させられており、前進可能な端部が通路内に残っており、さらに、プロテーゼの中間部を遠位方向に押しプロテーゼの先縁部を外転させて固定端部に対して前進させるためのプッシャをさらに含む請求項１から３までのいずれかに記載の器具。
【請求項５】
プロテーゼの一部分を切断してこの部分を体内管腔の中に残すことができるようにするための切断手段をさらに含む請求項１から４までのいずれかに記載の器具。
【手続補正書】
【提出日】平成17年11月17日(2005.11.17)
【手続補正１】
【補正対象書類名】特許請求の範囲
【補正対象項目名】全文
【補正方法】変更
【補正の内容】
【特許請求の範囲】
【請求項１】
第一側と第二側を有する支柱であって、各側は交互に山と谷を有しており、前記支柱の前記第一側の山と前記支柱の前記第二側の谷は並んでおり、前記支柱は第一側および第二側を有する少なくとも一つの隣接支柱を有しており、各側は交互に山と谷を有しており、前記少なくとも一つの隣接支柱の前記第一側の山と前記少なくとも一つの隣接支柱の前記第二側の谷は並んでおり、前記支柱の前記第一側の前記山と前記隣接支柱の前記第二側の前記山は並んでおり、前記支柱の前記第一側の前記谷と前記隣接支柱の前記第二側の前記谷が並んでいる支柱からなることを特徴とする、ステント。
【請求項２】
前記ステントは波紋状の形態であることを特徴とする、請求項１に記載のステント。
【請求項３】
前記少なくとも一つの隣接支柱は波紋状の形態であることを特徴とする、請求項１に記載のステント。
【請求項４】
前記支柱の少なくとも一つの山と谷の間において、少なくとも一つの形成された陥凹を有している、請求項１に記載のステント。
【請求項５】
前記支柱および前記隣接支柱の山と谷の間において、形成された陥凹を有している、請求項１に記載のステント。
【請求項６】
前記少なくとも一つの形成された陥凹が引き延ばされた楕円形であることを特徴とする、請求項４に記載のステント。
【請求項７】
前記少なくとも一つの形成された陥凹が実質的に円形であることを特徴とする、請求項４に記載のステント。
【請求項８】
前記少なくとも一つの形成された陥凹が治療薬剤を含んでいることを特徴とする、請求項４に記載のステント。
【請求項９】
前記治療薬剤は、遺伝子物質、成長因子、抗新生物質、抗有糸分裂、抗炎症薬、抗血小板物質、抗凝血剤、抗線維素、アンチトロンビン、抗増殖性物質、抗生物質、酸化防止剤、抗アレルギー性薬剤からなる一群から選択されることを特徴とする、請求項８に記載のステント。
【請求項１０】
ステントの外周に伸びる蛇行性部分であって、該蛇行性部分は第一端と第二端を有し、該蛇行性部分は第一端に複数の屈曲部を有し、第二端に複数の屈曲部を有し、それらの間に伸びる支柱を有しており、第一端の少なくとも一つの屈曲部、第二端の少なくとも一つの屈曲部、それらの間の少なくとも一つの支柱や、それらの組み合わせは複数の形成された陥凹を有している蛇行性部分からなることを特徴とする、ステント。
【請求項１１】
前記形成された陥凹が実質的に円形であることを特徴とする、請求項１０に記載のステント。
【請求項１２】
複数の前記支柱は複数の形成された陥凹を有しており、複数の屈曲部は複数の形成された陥凹を有していることを特徴とする、請求項１０に記載のステント。
【請求項１３】
それぞれの蛇行性部分のそれぞれの端部のそれぞれの屈曲部が複数の形成された陥凹を有していることを特徴とする、請求項１０に記載のステント。
【請求項１４】
実質的に円形や引き延ばされた楕円形である複数の形成された陥凹を有している、請求項１０に記載のステント。
【請求項１５】
前記第一端の前記屈曲部や、前記第二端の前記屈曲部や前記支柱のそれぞれにおいて、複数の形成された陥凹を有していることを特徴とする、請求項１０に記載のステント。
【請求項１６】
前記形成された陥凹が実質的に円形であることを特徴とする、請求項１５に記載のステント。
【請求項１７】
さらに引き延ばされた楕円形の陥凹を有していることを特徴とする、請求項１６に記載のステント。
【請求項１８】
前記形成された陥凹が治療薬剤を含んでいることを特徴とする、請求項１０に記載のステント。
【請求項１９】
前記治療薬剤は、遺伝子物質、成長因子、抗新生物質、抗有糸分裂、抗炎症薬、抗血小板物質、抗凝血剤、抗線維素、アンチトロンビン、抗増殖性物質、抗生物質、酸化防止剤、抗アレルギー性薬剤からなる一群から選択されることを特徴とする、請求項１８に記載のステント。
【請求項２０】
ステントの外周に伸びる蛇行性部分であって、該蛇行性部分は第一端と第二端を有し、該蛇行性部分は第一端に複数の屈曲部を有し、第二端に複数の屈曲部を有し、それらの間に伸びる支柱を有しており、前記支柱の少なくともいくつかは少なくとも一つの形成された陥凹を有しており、前記形成された陥凹は前記支柱よりも寸法が小さく、屈曲部は形成された陥凹を有していない蛇行性部分からなることを特徴とする、ステント。
【請求項２１】
第一端の前記屈曲部の少なくともいくつかにおいて、または第二端の屈曲部の少なくともいくつかにおいて、またはそれらの組み合わせにおいて、少なくとも一つの形成された陥凹を有していることを特徴とする、請求項２０に記載のステント。
【請求項２２】
前記形成された陥凹が引き延ばされた楕円形であることを特徴とする、請求項２０に記載のステント。
【請求項２３】
前記形成された陥凹が実質的に円形であることを特徴とする、請求項２０に記載のステント。
【請求項２４】
前記支柱の少なくともいくつかは、２つ以上の形成された陥凹を有していることを特徴とする、請求項２０に記載のステント。
【請求項２５】
前記第一端の前記屈曲部の少なくともいくつかにおいて、または前記第二端の前記屈曲部のいくつかにおいて、またはそれらの組み合わせにおいて、２つ以上の形成された陥凹を有していることを特徴とする、請求項２０に記載のステント。
【請求項２６】
前記形成された陥凹は実質的に円形であることを特徴とする、請求項２５に記載のステント。
【請求項２７】
少なくとも一つの形成された陥凹は治療薬剤を含むことを特徴とする、請求項２０に記載のステント。
【請求項２８】
前記治療薬剤は、遺伝子物質、成長因子、抗新生物質、抗有糸分裂、抗炎症薬、抗血小板物質、抗凝血剤、抗線維素、アンチトロンビン、抗増殖性物質、抗生物質、酸化防止剤、抗アレルギー性薬剤からなる一群から選択されることを特徴とする、請求項２７に記載のステント。
【手続補正書】
【提出日】平成17年11月14日(2005.11.14)
【手続補正１】
【補正対象書類名】特許請求の範囲
【補正対象項目名】全文
【補正方法】変更
【補正の内容】
【特許請求の範囲】
【請求項１】
ガイドワイヤ製造アセンブリであって、
基端部および先端部を有する細長いシャフトと、
シャフトの長さに沿って配置されるコイルと、
先端部に隣接してシャフトに連結される保持用器具と、
先端部に配置されるはんだボールと、はんだボールがフラックスに対して配置されることと、
はんだボールに隣接して配置される熱源と
からなるアセンブリ。
【請求項２】
シャフトがステンレス鋼からなる請求項１に記載のガイドワイヤ製造アセンブリ。
【請求項３】
シャフトがニッケル‐チタン合金からなる請求項１に記載のガイドワイヤ製造アセンブリ。
【請求項４】
コイルがステンレス鋼からなる請求項１に記載のガイドワイヤ製造アセンブリ。
【請求項５】
コイルがニッケル‐チタン合金からなる請求項１に記載のガイドワイヤ製造アセンブリ。
【請求項６】
保持用器具が放熱板を備えている請求項１に記載のガイドワイヤ製造アセンブリ。
【請求項７】
シャフトに連結された熱収縮チューブからさらになる請求項１に記載のガイドワイヤ製造アセンブリ。
【請求項８】
収縮チューブがポリテトラフルオロエチレンからなる請求項７に記載のガイドワイヤ製造アセンブリ。
【請求項９】
ガイドワイヤに非外傷性先端チップを形成する方法であって、
先端部とシャフト長に沿って配置されたコイルとを備えた細長いシャフトを提供する工程と、
はんだボールを提供する工程と、
はんだボールに隣接してある量のフラックスを提供する工程と、
シャフトの先端部にはんだボールを配置する工程と、
はんだボールを加熱してフラックスを活性化し、はんだボールを少なくとも部分的に融解させてコイルの中およびシャフトの周囲へ流れるのを可能にし、シャフトの先端部に残っているはんだボールにより非外傷性チップが形成されることを特徴とする、はんだボール加熱工程と
からなる方法。
【請求項１０】
はんだボールに隣接してある量のフラックスを提供する工程が、はんだボールをフラックスに浸漬することを含む、請求項９に記載の方法。
【請求項１１】
はんだボールに隣接してある量のフラックスを提供する工程が、シャフトの先端部に隣接したコイルにフラックスを配置することを含む、請求項９に記載の方法。
【請求項１２】
シャフトを保持用器具に連結する工程からさらになる、請求項９に記載の方法。
【請求項１３】
保持用器具が水平方向にシャフトを保持する、請求項１２に記載の方法。
【請求項１４】
保持用器具が垂直方向にシャフトを保持する、請求項１２に記載の方法。
【請求項１５】
ガイドワイヤが、シャフトに連結される熱収縮チューブからさらになる請求項９に記載の方法。
【請求項１６】
熱収縮チューブがはんだボール加熱工程の際にフラックスの基端方向への流れを止めることを特徴とする、請求項１５に記載の方法。
【請求項１７】
ガイドワイヤに非外傷性先端チップを形成する方法であって、
先端部とシャフト長に沿って配置されたコイルとを備えた細長いシャフトを提供する工程と、
シャフトを保持用器具に連結する工程と、
はんだボールを提供する工程と、
はんだボールに隣接してある量のフラックスを提供する工程と、
シャフトの先端部にはんだボールを配置する工程と、
はんだボールを加熱してフラックスを活性化し、はんだボールを少なくとも部分的に融解させてコイルの中およびシャフトの周囲へ流れるのを可能にし、シャフトの先端部に残っているはんだボールにより非外傷性チップが形成されることを特徴とする、はんだボール加熱工程と
からなる方法。
【請求項１８】
はんだボールに隣接してある量のフラックスを提供する工程に、はんだボールをフラックスに浸漬することが含まれる、請求項１７に記載の方法。
【請求項１９】
はんだボールに隣接してある量のフラックスを提供する工程に、シャフトの先端部に隣接したコイルにフラックスを配置することが含まれる、請求項１７に記載の方法。
【請求項２０】
保持用器具が水平方向にシャフトを保持する、請求項１７に記載の方法。
【請求項２１】
保持用器具が垂直方向にシャフトを保持する、請求項１７に記載の方法。
【請求項２２】
ガイドワイヤが、シャフトに連結される熱収縮チューブからさらになる請求項１７に記載の方法。
【請求項２３】
熱収縮チューブがはんだボール加熱工程の際にフラックスの基端方向への流れを止めることを特徴とする、請求項２２に記載の方法。
【請求項２４】
ガイドワイヤ製造アセンブリであって、
基端部および先端部を有する細長いシャフトと、
シャフトの長さに沿って配置されるコイルと、
先端部に隣接してシャフトに連結される保持用器具と、
少なくとも部分的に融解している、フラックスに連結されたはんだボールで形成され、シャフトの先端部に連結される非外傷性先端チップと、
はんだボールに隣接して配置される熱源と
からなるアセンブリ。
【請求項２５】
ガイドワイヤ製造アセンブリであって、
基端部および先端部を有する細長いシャフトと、
シャフトの長さに沿って配置されるコイルと、
先端部に隣接してシャフトに連結される保持用器具と、
少なくとも部分的に融解しているはんだボールで形成され、シャフトの先端部に連結される非外傷性先端チップと
からなるアセンブリ。
【請求項２６】
ガイドワイヤ製造アセンブリであって、
基端部および先端部を有する細長いシャフトと、
シャフトの長さに沿って配置されるコイルと、
シャフトに連結されたポリテトラフルオロエチレン製熱収縮チューブと、
少なくとも部分的に融解しているはんだボールで形成され、シャフトの先端部に連結される非外傷性先端チップと
からなるアセンブリ。
【手続補正書】
【提出日】平成17年10月4日(2005.10.4)
【手続補正１】
【補正対象書類名】特許請求の範囲
【補正対象項目名】全文
【補正方法】変更
【補正の内容】
【特許請求の範囲】
【請求項１】
流体の加熱および冷却の一方のための第１熱交換器と、
流体を前記熱交換器および少なくとも１つの流体相互接続可能接触パッドに循環させる循環ポンプと、
前記流体の温度を感知して、第１温度出力信号および第２温度出力信号を提供するために、前記第１熱交換器の上流および下流にそれぞれ配置された第１流体温度センサおよび第２流体温度センサと、
前記第１温度出力信号および前記第２温度出力信号の両方を使用して、第１制御信号を前記第１熱交換器に提供する制御装置とからなる患者体温制御システム。
【請求項２】
前記循環ポンプと、前記少なくとも１つの相互接続可能制御パッドへの出口ポートとの間における前記流体の流量を測定し、前記第１制御信号を提供する際に前記制御装置によって使用可能な流量出力信号を提供する流量計をさらに有する請求項１に記載のシステム。
【請求項３】
前記制御装置が、測定患者体温を示す入力信号を受信し、前記第１制御信号を提供する際に前記入力信号を使用するように適合される請求項２に記載のシステム。
【請求項４】
前記制御装置が、所定の温度範囲内の温度に患者を加熱および冷却することの一方に影響を与えるために、前記第１制御信号を提供する請求項３に記載のシステム。
【請求項５】
前記所定の温度範囲を確立するユーザ入力を受信するためのユーザ・インタフェースをさらに有する請求項１に記載のシステム。
【請求項６】
前記所定の温度範囲が、時間の関数としてユーザによって設定可能である請求項５に記載のシステム。
【請求項７】
前記ユーザ・インタフェースが、
前記入力信号に対応する測定患者体温と、
前記第１温度出力信号および前記第２温度出力信号の少なくとも一方と対応する流体温度との少なくとも１つからなるユーザ出力を提供する請求項５に記載のシステム。
【手続補正書】
【提出日】平成17年9月1日(2005.9.1)
【手続補正１】
【補正対象書類名】特許請求の範囲
【補正対象項目名】全文
【補正方法】変更
【補正の内容】
【特許請求の範囲】
【請求項１】
裏地と該裏地から延出する直径ｄを有する複数のステムとを有するステムウェブにキャップを付与する方法であって、
前記ステムウェブを第１の熱ニップロールに接する第１のニップに通して、前記ステムに部分的にキャップを付与する第１の通過ステップと、
部分的にキャップを付与された前記ステムが次の通過ステップにおいて完全にキャップを付与されるように、前記ステムウェブを冷却する冷却ステップと、
前記ステムウェブを第２の熱ニップロールの表面に接する第２のニップに通して、前記ステムに完全にキャップを付与して直径Ｄにする第２の通過ステップとを含み、
前記キャップ付ステムが少なくとも１．５：１のＤ：ｄ比を有する方法。
【請求項２】
前記第１及び第２の通過ステップ中は前記ステムウェブが少なくとも３０ｍ／分のライン速度で移動する、請求項１に記載の方法。
【請求項３】
前記冷却ステップは前記ステムウェブを冷却ロールに接触させることにより行われる、請求項１に記載の方法。
【請求項４】
前記冷却ロールは前記第１の熱ニップロールの直径より少なくとも３０％大きい直径を有する、請求項３に記載の方法。
【請求項５】
前記冷却ロールは前記第２の熱ニップロールの直径より少なくとも３０％大きい直径を有する、請求項３に記載の方法。
【手続補正２】
【補正対象書類名】明細書
【補正対象項目名】０００８
【補正方法】変更
【補正の内容】
【０００８】
本発明によりステムウェブをこれまでより広い幅、速いライン速度で用意できる。これは変形できるようにステムの上部に十分な熱エネルギーを導入する問題が最も重要であるとは限らないということを認識することにより達成される。ライン速度およびステム径が増加するにつれて、次のキャッピング経路上で変形されないように十分な熱エネルギーをステムから除去することが難しくなる。本発明の方法と実施形態は十分且つ適時な冷却の重要性を強調している。一態様において、本発明は裏地と当該裏地から延出する直径「ｄ」を有する複数のステムとを有する材料であるステムウェブにキャップを付与する方法を提供する。上記方法は、上記ステムウェブを第１の熱ニップロールに接する第１のニップに通過させて上記ステムに部分的にキャップを付与する第１の通過ステップと、上記ステムウェブを冷却する冷却ステップと、上記ステムウェブを第２の熱ニップロールの表面に接する第２のニップに通過させて上記ステムに完全にキャップを付与して直径「Ｄ」にする第２の通過ステップとを含む。上記Ｄ：ｄ比が少なくとも１．５：１、好適には少なくとも１．６５：１である。好適な実施形態において上記第１及び第２の通過ステップ中に上記ステムウェブが少なくとも３０ｍ／分のライン速度で移動する。